【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
固定板の下方に配置された検査台上の被検査体の検査のために該被検査体の電極に接触可能のプローブが設けられた少なくとも１つのプローブ組立体と、前記固定板に支持されるサポートベース部材と、前記プローブを前記電極に接触させるべく前記検査台の上方で前記プローブ組立体を前記サポートベース部材に支持する懸架機構と、前記被検査体の検査のための電気信号を生成する電気回路が組み込まれ、前記懸架機構の下方で該懸架機構に支持され、前記プローブに接続された前記電極に前記プローブを経て前記電気信号を供給すべく前記プローブに電気的に接続される信号回路基板とを含むプローブユニットであって、
さらに、前記懸架機構を前記サポートベース部材に横軸を介して枢動可能に支持する枢軸機構と、前記サポートベース部材に関する前記懸架機構の枢動の拘束が解除可能となるように前記懸架機構を前記サポートベース部材に固定する結合手段とを含む、プローブユニット。
【請求項２】
前記枢軸機構は、前記結合手段の拘束の解除により、前記回路基板が作業者に向くように前記懸架機構の姿勢の回転を許す、請求項１に記載のプローブユニット。
【請求項３】
前記枢軸機構は、前記サポートベース部材に前記横軸を介して枢動可能に連結されたプローブベース板を含み、前記プローブ組立体を含む複数のプローブ組立体がそれぞれ前記懸架機構を含む複数の懸架機構を介して前記プローブベース板に支持されており、前記結合手段は、前記サポートベース部材に関する前記プローブベース板の枢動の拘束が解除可能となるように該プローブベース板を前記サポートベース部材に固定する、請求項１に記載のプローブユニット。
【請求項４】
前記結合手段は、前記プローブベース板の下面から前記サポートベース部材の下面に突出する連結部と、該連結部と前記サポートベース部材とを解除可能に結合する締結具とを備える、請求項３に記載のプローブユニット。
【請求項５】
前記締結具は、前記サポートベース部材の上面から該サポートベース部材の前記下面へ向けて形成された貫通穴を通り、また該貫通穴に整合すべく前記連結部に形成された雌ねじ穴に螺合する締め付けねじ部材を有する、請求項４に記載のプローブユニット。
【請求項６】
前記プローブベース板には、前記プローブ組立体の前記プローブおよび前記被検査体の対応する前記電極の相互の位置合わせに用いられるアライメントカメラが支持されている、請求項５に記載のプローブユニット。
【請求項７】
板状の被検査体に設けられた電極を上方に向けて前記被検査体が配置される検査台と、該検査体の上方に設けられた固定枠体と、該固定枠体に支持されたプローブユニットとを含む電気的検査装置であって、
前記プローブユニットは、前記固定枠体に支持されるサポートベース部材と、前記検査台上の前記被検査体の前記電極に接触可能のプローブが設けられた複数のプローブ組立体と、該プローブ組立体のそれぞれの前記プローブを対応する前記電極に接触させるべく前記検査台の上方で前記プローブ組立体のそれぞれを前記サポートベース部材に支持する懸架機構と、前記被検査体の検査のための電気信号を生成する電気回路が組み込まれ、前記懸架機構の下方で該懸架機構に支持され、前記プローブに接続された前記電極に前記プローブを経て前記電気信号を供給すべく前記プローブに電気的に接続される信号回路基板とを備え、
さらに、前記プローブユニットは、複数の前記懸架機構をそれぞれ前記サポートベース部材に横軸を介して枢動可能に支持する枢軸機構と、前記サポートベース部材に関する前記懸架機構の枢動の拘束が解除可能となるように前記懸架機構を前記サポートベース部材に固定する結合手段とを備える、電気的検査装置。
【請求項８】
前記枢軸機構は、前記結合手段の拘束の解除により、前記回路基板が作業者に向くように前記懸架機構の姿勢の回転を許す、請求項７に記載の電気的検査装置。
【請求項９】
前記枢軸機構は、前記サポートベース部材に前記横軸を介して枢動可能に連結されたプローブベース板を含み、複数の前記プローブ組立体が対応する前記懸架機構を介して前記プローブベース板に支持されており、前記結合手段は、前記サポートベース部材に関する前記プローブベース板の枢動の拘束が解除可能となるように該プローブベース板を前記サポートベース部材に固定する、請求項７に記載の電気的検査装置。
【請求項１０】
前記結合手段は、前記プローブベース板の下面から前記サポートベース部材の下面に突出する連結部と、該連結部と前記サポートベース部材とを解除可能に結合する締結具とを有する、請求項９に記載の電気的検査装置。
【請求項１１】
前記締結具は、前記サポートベース部材の上面から該サポートベース部材の前記下面へ向けて形成された貫通穴を通り、また該貫通穴に整合すべく前記連結部に形成された雌ねじ穴に螺合する締め付けねじ部材を有する、請求項１０に記載の電気的検査装置。
【請求項１２】
前記プローブベース板には、前記プローブ組立体の前記プローブおよび前記被検査体の対応する前記電極の相互の位置合わせに用いられるアライメントカメラが支持されている、請求項１１に記載の電気的検査装置。
【請求項１３】
前記固定枠体には、該枠体の少なくとも一辺に沿って移動可能にプローブステージ板が支持されており、前記サポートベース部材は前記プローブステージ板に取り外し可能に結合されている、請求項７に記載の電気的検査装置。
【請求項１４】
請求項７に記載の電気的検査装置と、互いに並んで配置された第１の窓および第２の窓を有する筐体とを含み、前記被検査体として表示用パネルが取り扱われる点灯検査装置であって、前記筐体内の前記第１の窓に対応した位置で検査ステーションを構成すべく前記電気的検査装置が前記筐体内に配置され、前記筐体内の前記第２の窓に対応した位置には前記検査ステーションとの間で前記表示用パネルの授受を行うパネル受け渡しステーションを構成するパネル受け渡し装置が配置されている、点灯検査装置。
【手続補正２】
【補正対象書類名】明細書
【補正対象項目名】００１０
【補正方法】変更
【補正の内容】
【００１０】
本発明に係るプローブユニットは、固定板の下方に配置された検査台上の被検査体の検査のために該被検査体の電極に接触可能のプローブが設けられた少なくとも１つのプローブ組立体と、前記固定板に支持されるサポートベース部材と、前記プローブを前記電極に接触させるべく前記検査台の上方で前記プローブ組立体を前記サポートベース部材に支持する懸架機構と、前記被検査体の検査のための電気信号を生成する電気回路が組み込まれ、前記懸架機構の下方で該懸架機構に支持され、前記プローブに接続された前記電極に前記プローブを経て前記電気信号を供給すべく前記プローブに電気的に接続される信号回路基板とを含むプローブユニットであって、さらに、前記懸架機構を前記サポートベース部材に横軸を介して枢動可能に支持する枢軸機構と、前記サポートベース部材に関する前記懸架機構の枢動の拘束が解除可能となるように前記懸架機構を前記サポートベース部材に固定する結合手段とを含む。
【手続補正３】
【補正対象書類名】明細書
【補正対象項目名】００１３
【補正方法】変更
【補正の内容】
【００１３】
前記枢軸機構には、前記サポートベース部材に前記横軸を介して枢動可能に連結されたプローブベース板を設けることができる。このプローブベース板に前記プローブ組立体を含む複数のプローブ組立体をそれぞれ前記懸架機構を含む複数の懸架機構を介して支持することができる。この場合、前記結合手段は、前記サポートベース部材に関する前記プローブベース板の枢動の拘束が解除可能となるように該プローブベース板を前記サポートベース部材に固定することができる。
【手続補正４】
【補正対象書類名】明細書
【補正対象項目名】００１７
【補正方法】変更
【補正の内容】
【００１７】
本発明に係る電気的検査装置は、板状の被検査体に設けられた電極を上方に向けて前記被検査体が配置される検査台と、該検査体の上方に設けられた固定枠体と、該固定枠体に支持されたプローブユニットとを含む電気的検査装置であって、前記プローブユニットは、前記固定枠体に支持されるサポートベース部材と、前記検査台上の前記被検査体の前記電極に接触可能のプローブが設けられた複数のプローブ組立体と、該プローブ組立体のそれぞれの前記プローブを対応する前記電極に接触させるべく前記検査台の上方で前記プローブ組立体のそれぞれを前記サポートベース部材に支持する懸架機構と、前記被検査体の検査のための電気信号を生成する電気回路が組み込まれ、前記懸架機構の下方で該懸架機構に支持され、前記プローブに接続された前記電極に前記プローブを経て前記電気信号を供給すべく前記プローブに電気的に接続される信号回路基板とを備え、さらに、前記プローブユニットは、複数の前記懸架機構をそれぞれ前記サポートベース部材に横軸を介して枢動可能に支持する枢軸機構と、前記サポートベース部材に関する前記懸架機構の枢動の拘束が解除可能となるように前記懸架機構を前記サポートベース部材に固定する結合手段とを備える。
【手続補正５】
【補正対象書類名】明細書
【補正対象項目名】００４１
【補正方法】変更
【補正の内容】
【００４１】
結合手段６４は、プローブベース板４４の下面にボルト６４ａを介して固定された結合板６４ｂと、該結合板にその板厚方向に貫通して形成されたねじ穴６４ｃに螺合するボルト６４ｄとを備える。サポートベース部材４０には、ねじ穴６４ｃに整合して板厚方向に貫通穴４０ｄが形成されている。ボルト６４ｄは、サポートベース部材４０の上面から貫通穴４０ｄを貫通して配置され、その先端部がねじ穴６４ｃに螺合するように、結合板６４ｂをサポートベース部材４０に締め付ける。このボルト６４ｄの締め付けにより、プローブベース板４４の水平軸４２ａの回りの回動が阻止され、プローブベース板４４は、前記したように図５に示す姿勢を保持される。